(57)【要約】【課題】長さ測定機能及び角度測定機能を有する定規を提供する。【解決手段】本体１０、延伸部１１、長さ測定部１３、および角度測定部１４を備える。本体１０は、一方に長辺１０１を有する。延伸部１１は、本体１０の長辺１０１から外側に向いて延伸し、本体１０と接続している箇所に凹部１２が形成されている。長さ測定部１３は、本体１０の延伸部１１が形成されている側に長手方向に形成されており、延伸部１１から本体１０の端部まで延伸している。角度測定部１４は、凹部１２を円心とし、本体１０に放射状に分布されている。【選択図】図１
0003186626.tif 000002
【実用新案登録請求の範囲】
【請求項１】
一方に長辺を有する本体と、
前記本体の長辺から外側に向いて延伸し、前記本体と接続している箇所に凹部が形成されている延伸部と、
前記本体の前記延伸部が形成されている側に長手方向に形成されており、前記延伸部から前記本体の端部まで延伸している長さ測定部と、
前記凹部を円心とし、前記本体に放射状に分布されている角度測定部とを備えることを特徴とする定規。
【請求項２】
一方に長辺を有する本体と、
前記本体の前記長辺と平行に前記本体に形成されており、一端に凹部が形成されている溝部と、
前記本体に形成されており、前記本体の長手方向に延伸している長さ測定部と、
前記凹部を円心とし、前記本体に放射状に分布されている角度測定部とを備えることを特徴とする定規。
【考案の詳細な説明】
【技術分野】
【０００１】
本考案は、定規に関する。
【背景技術】
【０００２】
従来、定規による作図法は、学校や職場での最も基本的な製図方法であり、分度器及びスケールを用いることで幾何学図形やより複雑なパターンの図形を作成することができる。
【考案の概要】
【考案が解決しようとする課題】
【０００３】
現在、多くの場合はパソコン上での製図が主流になっている。しかしながら、手描きによる製図方法も多く使用されている。例えば学生が授業中に構図を検討する場合などに用いられる。定規による作図で最もよく用いられるのは固定角度を有する角の描くことである。従来、固定角度を有する角を描く場合は、同時にスケール及び半円形の分度器を使用し、その製図過程は以下の通りである。
１．図面上に所定の長さの線分である第一辺を描く。
２．定規を取り除き、半円形の分度器を使用する。
３．半円形の分度器の直線状の辺を第一辺に合わせる。
４．半円形の分度器の円心を第一辺の何れかの一端に合わせる。
５．必要な角度と対応する半円形の分度器の円弧状の辺に点をつける。
６．スケールを用いて第一辺の前記一端と前記点とを繋ぐ。
７．前記一端と前記点を結ぶ線を描く。
【０００４】
上述の製図過程は相当煩雑であり、スケール及び半円形の分度器を同時に使用する必要があり、不便である。上述の各ステップでは、スケールや半円形の分度器を円心や辺線等に位置を合わせる必要があり、ユーザの視覚や動作により、角度または図形の誤差が生じる。
【０００５】
そこで、本考案者は上記の欠点が改善可能と考え、鋭意検討を重ねた結果、合理的かつ効果的に課題を改善する本考案の提案に到った。
【０００６】
本考案は、上述の問題に鑑みてなされたものであり、長さ測定機能及び角度測定機能を有する定規を提供することを目的とする。
【０００７】
また、本考案は、携帯に便利であり、製図及び角度測定等の作業を簡略化可能な定規を提供する。
【課題を解決するための手段】
【０００８】
上述した課題を解決し、目的を達成するために、本考案に係る定規は、本体、延伸部、長さ測定部、および角度測定部を備える。本体は、一方に長辺を有する。延伸部は、本体の長辺から外側に向いて延伸し、本体と接続している箇所に凹部が形成されている。長さ測定部は、本体の延伸部が形成されている側に長手方向に形成されており、延伸部から本体の端部まで延伸している。角度測定部は、凹部を円心とし、本体に放射状に分布されている。
【考案の効果】
【０００９】
本考案によれば、従来の技術により幾何学図形を作成する場合、大量の道具を準備し煩雑な過程を経て、固定角度を有する角を描くことに対し、角を高速に作成可能であり、図面作成および角度測定等の動作を完成することができるため、製図の効率を高めることができる。従来のスケール及び分度器を一体に結合することで携帯性を向上することができ、使用がより簡単になる等の長所が得られる。
【図面の簡単な説明】
【００１０】
【図１】本考案の第１実施形態による定規を示す斜視図である。
【図２】本考案の第１実施形態による定規を示す作業模式図である。
【図３】本考案の第２実施形態による定規を示す模式図である。
【図４】本考案の第３実施形態による定規を示す模式図である。
【考案を実施するための形態】
【００１１】
以下に図面を参照して、本考案を実施するための形態について、詳細に説明する。なお、本考案は、以下に説明する実施形態に限定されるものではない。
（第１実施形態）
本考案の第１実施形態による定規を図１及び図２に基づいて説明する。
図１は本考案の第１実施形態による定規を示す傾斜図である。図１に示すように、本考案では透明材質により製造される本体１０を有し、これはアクリルやＰＶＣ等のプラスチック材質により製造される長矩形物であり、本体１０には延伸部１１、凹部１２、長さ測定部１３、及び角度測定部１４がそれぞれ設けられ、本体１０の一側には長辺１０１を有する。
【００１２】
延伸部１１は本体１０の長辺１０１の外に向け延伸されると共に本体１０と延伸部１１との垂直に交接する箇所には凹部１２が形成される。長さ測定部１３は本体１０の表面に設けられると共に本体１０の延伸部１１を有する一側と同じ一側の長手方向に形成され、長さ測定部１３は度量単位の目盛りは延伸部１１の一側から本体１０の一端に向け延伸される。角度測定部１４は本体１０の表面に設けられると共に度量単位の目盛りは凹部１２を円心とし本体１０に放射状に分布する。
【００１３】
ちなみに、長さ測定部１３及び角度測定部１４が本体１０に設置される場合、本体１０と共に一体成型される以外、印刷、スクリーン印刷、或いはスプレー塗装等の方式により本体１０の表面に設置される。使用時の異なる要求に応えるため、長さ測定部１３及び角度測定部１４の目盛りの単位には国際単位系（メートル、ミリメートル、度）或いは非国際単位系が採用される。
【００１４】
図２は本考案の第１実施形態による定規を示す動作概略図である。図２に示すように、本考案による固定角度の狭角の描画時には、まず本体１０の凹部１２を起点とし、必要な長さに合わせ本体１０の一端に向け延伸させるように第一辺２１を描画させ、描画される長さは長さ測定部１３の度量単位に照合させた必要な長さになる。
【００１５】
次に凹部１２を円心とし、本体１０を必要な角度まで回転させた後、角度測定部１４の目盛り単位を第一辺２１（本実施形態の図中では６０度で表示）に合わせるか重ねるようにし、凹部１２を起点にし本体１０の一端に向け延伸させて第二辺２２を描画させ、この際第一辺２１と第二辺２２との間の角度は６０度の狭角になる。
【００１６】
多辺形を描画する場合、各線の描画ステップは前述の図２の実施方式に相似し、必要な多辺形の辺の数に合わせて先に各辺の狭角を計算した後に描画動作を完成させるが、再述は省く。
【００１７】
（第２実施形態）
本考案の第２実施形態を図３に基づいて説明する。
図３は本考案の第２実施形態による定規を示す概略図である。図３に示すように、好ましい第２実施形態と前述の好ましい第１実施形態との異なる点は、本体１０には溝部１５が開設され、溝部１５は本体１０の長辺１０１に平行になると共に本体１０に延設され、溝部１５の一端には凹部１２が形成され、本体１０の一側の長辺１０１及び溝部１５の側辺には長さ測定部１３がそれぞれ設けられ、凹部１２を円心とし、本体１０には放射状に分布される角度測定部１４が設けられる点である。溝部１５を用い本体１０の一端に向け延伸させて上述の好ましい第一実施形態と同じ第一辺を描画させる。続いて凹部１２を円心として、本体１０を必要な角度まで回転させた後、角度測定部１４の目盛り単位を第一辺に合わせるか重ねた後、凹部１２を起点として本体１０の一端に向け延伸させて第二辺を描画させ、必要な狭角を描画させる。
【００１８】
（第３実施形態）
本考案の第３実施形態を図４に基づいて説明する。
図４は本考案の第３実施形態による定規を示す概略図である。図４に示すように、好ましい第３実施形態と上述の好ましい第２実施形態との異なる点は、長さ測定部１３は溝部１５の２つの対向する側辺（溝部１５の何れかの側辺に単独で設置される）に設けられる点である。これにより、本体１０と同様に３６０度描画可能な定規となる。
【００１９】
上述の実施形態は本考案の技術思想及び特徴を説明するためのものにすぎず、当該技術分野を熟知する者に本考案の内容を理解させると共にこれをもって実施させることを目的とし、本考案の請求の範囲を限定するものではない。従って、本考案の精神を逸脱せずに行う各種の同様の効果をもつ改良又は変更は、請求項に含まれるものとする。
【符号の説明】
【００２０】
１０・・・本体、
１０１・・・長辺、
１１・・・延伸部、
１２・・・凹部、
１３・・・長さ測定部、
１４・・・角度測定部、
１５・・・溝部、
２１・・・第一辺、
２２・・・第二辺。
【図１】
0003186626.tif 000003
【図２】
0003186626.tif 000004
【図３】
0003186626.tif 000005
【図４】
0003186626.tif 000006